(57)【要約】【課題】タッチ無効化領域を適切に設定し、ユーザの入力操作を正確に検出する。【解決手段】入力装置は、側面センサ（１６）の検出結果から携帯端末装置（１）の持ち手を判定する制御部（１１）と、ユーザが接触する側面に沿うタッチパネル（１５）の端部をタッチ無効化領域とする無効化領域設定部（１４）と、持ち手側のタッチパネル（１５）の最上位置から最も近いタッチ位置をタッチ有効位置とするタッチ有効位置検出部（１３）とを備える。【選択図】図１
2015156154.tif 000002
【特許請求の範囲】
【請求項１】
携帯端末装置の表示装置に設けられたタッチパネルと、
前記携帯端末装置の左右の側面に設けられ、ユーザによる接触個所を検出する側面センサと、
前記側面センサの検出結果に基づいて、前記携帯端末装置を保持するユーザの持ち手を判定する判定手段と、
前記携帯端末装置の前記接触個所が検出された前記側面に沿った前記タッチパネルの端部に、ユーザのタッチを無効とするタッチ無効化領域を設定し、前記タッチ無効化領域以外の領域をタッチ有効領域とする無効化領域設定手段と、
左側または右側のうち、前記持ち手の側の前記タッチパネルの最上位置を基準位置とし、ユーザによる前記タッチ有効領域の前記基準位置から最も近いタッチ位置をタッチ有効位置として検出するタッチ有効位置検出手段とを備えていることを特徴とする入力装置。
【請求項２】
前記無効化領域設定手段は、前記携帯端末装置の前記接触個所が検出された前記側面のうち、前記持ち手の側の前記携帯端末装置の前記側面に沿った前記タッチパネルの端部に、前記タッチ無効化領域を設定することを特徴とする請求項１に記載の入力装置。
【請求項３】
前記無効化領域設定手段は、前記側面センサによって検出される前記接触個所の範囲に応じた面積の前記タッチ無効化領域を設定することを特徴とする請求項１または２に記載の入力装置。
【請求項４】
前記タッチ有効位置検出手段は、前記タッチ有効領域における、前記基準位置から最も近い第１のタッチ位置と、前記基準位置から２番に近い第２のタッチ位置とを検出するとともに、前記第２のタッチ位置が移動し、かつ前記第１のタッチ位置と前記第２のタッチ位置との距離が一定値以上変化した場合に、前記第１のタッチ位置についてのタッチ操作に加えて、前記第２のタッチ位置についてのタッチ操作を有効なタッチ操作とすることを特徴とする請求項１から３のいずれか１項に記載の入力装置。
【請求項５】
請求項１から４のいずれか１項に記載の入力装置を備えていることを特徴とする携帯端末装置。
【発明の詳細な説明】
【技術分野】
【０００１】
本発明は、スマートフォン等の携帯端末装置に備えられる入力装置およびそれを備えた携帯端末装置に関する。
【背景技術】
【０００２】
現在、タッチパネルを備えたスマートフォン等の携帯端末装置が一般に普及している。この種の携帯端末装置については、近年の大型化により、持ち手の親指にて操作する、いわゆる片手操作が困難となり、持ち手とは異なる手で操作する機会が増加している。
【０００３】
また、上記の携帯端末装置では、表示画面の面積を大きくするために、表示画面の周りの額縁部が狭くなっている。このため、ユーザの意図に反して、持ち手がタッチパネルに接触し易くなり、携帯端末装置では、タッチパネルに対するそのような持ち手の接触をユーザによる入力操作と見みなすことになる。この結果、実際にユーザが意図した操作とは異なる誤操作がたびたび引き起こされている。
【０００４】
ここで、携帯端末装置の持ち手が左手であり、タッチパネルの操作手が右手である場合、タッチパネルの最も左上で検出されたタッチ操作はユーザが意図したタッチ操作であると予想される。
【０００５】
そこで、特許文献１に記載の構成では、発光素子と受光素子とを対とした光軸を水平方向および垂直方向に複数配置した表示入力部を備え、遮光領域が４つの場合、左上の遮光領域に取引キーが存在していれば、左上の遮光領域をユーザによる押下座標とする一方、その他の遮光領域を無効としている。
【０００６】
また、携帯端末装置を操作する場合には、携帯端末装置を一方の手で持ち（片手持ち）、反対側の手だけで操作する場合（片手操作）と、携帯端末装置を両手で持ち（両手持ち）、両手で操作をする場合（両手操作）とがある。
【０００７】
片手持ちの場合には、例えば親指を携帯端末装置のタッチパネル周りの額縁からタッチパネルの一部に渡って配置した方が、携帯端末装置を安定に保持することができる。この場合、タッチパネル上において、持ち手の親指が操作する手（操作手）による入力位置よりも上側に触れていると、ユーザの意図する入力操作ができないことになる。
【０００８】
そこで、特許文献２に記載の構成では、加速度センサからの検出結果（携帯電話機のＸ軸、Ｙ軸の軸周りに回転する方向の加速度）に基づいて、携帯電話機の持ち方が片手持ちか両手持ちかを判別し、片手持ちの場合には、タッチスクリーン上の一部分にタッチ操作を無効とするタッチ無効化領域を設定するようにしている。
【先行技術文献】
【特許文献】
【０００９】
【特許文献１】特開２０１２−１２８８８３号公報（２０１２年７月５日公開）
【特許文献２】特開２０１１−２８６０３号公報（２０１１年２月１０日公開）
【発明の概要】
【発明が解決しようとする課題】
【００１０】
しかしながら、特許文献１に記載の構成では、携帯端末装置の持ち手（左手）の親指が、タッチパネルの左上の位置（例えば図２の（ｇ）に示すタッチ位置２３ｄ）に触れている状態にて、親指が触れている位置よりも下の位置（例えば図２の（ｇ）に示すタッチ位置２３ａ）が持ち手とは反対の手にてタッチ操作された場合、そのタッチ操作は、ユーザの意図しないタッチ操作と見なされ、正規のタッチ操作として検出されない。
【００１１】
一方、特許文献２に記載の構成では、持ち手の親指が触れるタッチパネルの領域を無効化領域に設定するので、加速度センサにより携帯端末装置の持ち手を正確に検出できれば、持ち手とは反対の手によるタッチ操作をタッチ操作として検出することができる。
【００１２】
しかしながら、ユーザが持ち手の親指を携帯端末装置の一方の側面に沿わせ、親指以外の指を携帯端末装置の他方の側面に沿わせて携帯端末装置を保持しているような場合には、加速度センサによって正確に持ち手を判断することができない。このため、適切に無効化領域を設定できず、タッチパネルに対するユーザの入力操作を正確に検出することができないという問題点を有している。
【００１３】
したがって、本発明は、タッチパネルに対してユーザの意図しないタッチ操作を検出しない無効化領域を適切に設定でき、タッチパネルに対するユーザの入力操作を正確に検出することができる入力装置およびそれを備えた携帯端末装置の提供を目的としている。
【課題を解決するための手段】
【００１４】
上記の課題を解決するために、本発明の一態様に係る入力装置は、携帯端末装置の表示装置に設けられたタッチパネルと、前記携帯端末装置の左右の側面に設けられ、ユーザによる接触個所を検出する側面センサと、前記側面センサの検出結果に基づいて、前記携帯端末装置を保持するユーザの持ち手を判定する判定手段と、前記携帯端末装置の前記接触個所が検出された前記側面に沿った前記タッチパネルの端部に、ユーザのタッチを無効とするタッチ無効化領域を設定し、前記タッチ無効化領域以外の領域をタッチ有効領域とする無効化領域設定手段と、前記持ち手の側の前記タッチパネルの最上位置を基準位置とし、ユーザによる前記タッチ有効領域の前記基準位置から最も近いタッチ位置をタッチ有効位置として検出するタッチ有効位置検出手段とを備えていることを特徴としている。
【発明の効果】
【００１５】
本発明の一態様によれば、持ち手の指等によるタッチを検出しない無効化領域をタッチパネルに適切に設定でき、タッチパネルに対するユーザの入力操作を正確に検出することができる。
【図面の簡単な説明】
【００１６】
【図１】本発明の実施の形態における携帯端末装置を示すブロック図である。
【図２】図２の（ａ）は、携帯端末装置を左手にて片手持ちした状態を示す説明図、図２の（ｂ）は、図２の（ａ）に示した片手持ち状態において携帯端末装置に無効化領域を設定した状態を示す説明図、図２の（ｃ）は、携帯端末装置を右手にて片手持ちした状態を示す説明図、図２の（ｄ）は、図２の（ｃ）に示し片手持ち状態において携帯端末装置に無効化領域を設定した状態を示す説明図、図２の（ｅ）は、狭額縁でない携帯端末装置を左手にて片手持ちした状態を示す説明図、図２の（ｆ）は、図１に示したタッチ有効位置検出部の動作を示す説明図、図２の（ｇ）は、タッチパネルに複数のタッチ位置が存在する状態を示す説明図、図２の（ｈ）は、図２の（ｇ）に示した複数のタッチ位置からタッチ有効位置を検出する図１に示したタッチ有効位置検出部の動作の説明図である。
【図３】図１に示した携帯端末装置の、タッチパネルに対して１点のタッチ操作が行われた場合の動作を示すフローチャートである。
【図４】本発明の他の実施の形態における携帯端末装置のタッチパネルに対してのピンチアウト操作を示す説明図である。
【図５】図４に示したピンチアウト操作の開始から完了までの過程を示す説明図である。
【図６】本発明の他の実施の形態における携帯端末装置の、タッチパネルに対してピンチアウト操作が行われた場合の動作を示すフローチャートである。
【図７】本発明のさらに他の実施の形態における携帯端末装置の無効化領域設定部の動作を示す説明図である。
【図８】本発明のさらに他の実施の形態における携帯端末装置のタッチ有効位置検出部の動作を示す説明図である。
【図９】本発明のさらに他の実施の形態における携帯端末装置の、タッチパネルに対して１点のタッチ操作が行われた場合の動作を示すフローチャートである。
【図１０】本発明のさらに他の実施の形態における携帯端末装置の、タッチパネルに対してピンチアウト操作が行われた場合の動作を示すフローチャートである。
【発明を実施するための形態】
【００１７】
〔実施の形態１〕
本発明の実施の形態を図面に基づいて以下に説明する。本実施の形態では、携帯端末装置のタッチパネルに対して１点のタッチ操作が行われる場合について説明する。
【００１８】
図１に示すように、携帯端末装置１は、制御部（判定手段）１１、表示部（表示装置）１２、タッチ有効位置検出部（タッチ有効位置検出手段）１３、無効化領域設定部（無効化領域設定手段）１４、タッチパネル１５、側面センサ１６およびメモリ部１７を備えている。なお、携帯端末装置１に含まれる入力装置としては、少なくとも上記の制御部１１、タッチ有効位置検出部１３、無効化領域設定部１４、タッチパネル１５および側面センサ１６を備えていればよい。
【００１９】
制御部１１は、携帯端末装置１の全体を制御するものであり、例えばマイクロコンピュータからなる。表示部１２は、例えば液晶パネルからなり、制御部１１に制御されて各種情報を表示する。タッチ有効位置検出部１３は、タッチパネル１５に対してのユーザのタッチ操作のうち、有効なタッチ操作（タッチ有効位置）を検出する。無効化領域設定部１４は、タッチパネル１５に対してのユーザによるタッチを無効とする無効化領域を設定する。タッチパネル１５は、表示部１２の上に配置されたタッチパネルであり、例えばマトリクス型の静電容量方式のものである。
【００２０】
側面センサ１６は、図１に示す携帯端末装置１の左右の側面に設けられ、ユーザの指等の接触個所２５を検出する。側面センサ１６としては、例えば周知の接触センサを使用可能である。メモリ部１７は、制御部１１の処理動作に伴い、各種情報を記憶する。
【００２１】
制御部１１は、側面センサ１６の検出結果に基づいて、ユーザによる携帯端末装置１の持ち手が左手２か右手３かを判定する。
【００２２】
ここで、図２の（ａ）に示すように、携帯端末装置１の持ち手が左手２の場合、ユーザの指は、携帯端末装置１に対して、左側面に１箇所（親指もしくは親指の付け根）にて接触し、右側面に複数箇所（例えば人差し指、中指、薬指および小指）で接触する。また、図２の（ｃ）に示すように、携帯端末装置１の持ち手が右手３の場合、ユーザの指は、携帯端末装置１に対して、右側面に１箇所で接触し、左側面に複数箇所で接触する。したがって、制御部１１は、側面センサ１６の検出結果に基づいて、ユーザによる携帯端末装置１の持ち手が左手か右手かを判定することができる。なお、本実施の形態の説明では、携帯端末装置１に向って左側の側面を左側面とし、右側の側面を右側面としている。
【００２３】
無効化領域設定部１４は、携帯端末装置１の持ち手が左手２か右手３かにより、タッチパネル１５の、持ち手に応じた位置に無効化領域を設定する。具体的には、無効化領域設定部１４は、持ち手が左手２である判定された場合に、図２の（ｂ）に示すように、タッチパネル１５（表示部１２）における、携帯端末装置１の左側の側面に沿った左端の所定幅の領域をタッチ無効化領域２１とし、それ以外の領域をタッチ有効領域２２とする。また、無効化領域設定部１４は、持ち手が右手３であると判定された場合に、図２の（ｄ）に示すように、タッチパネル１５（表示部１２）における、携帯端末装置１の右側の側面に沿った右端の所定幅の領域をタッチ無効化領域２１とし、それ以外の領域をタッチ有効領域２２とする。なお、図２の（ｅ）に示すように、狭額縁ではない携帯端末装置では、持ち手がタッチパネル１５に接触し難いため、特にタッチ無効化領域２１を設定する必要はない。
【００２４】
タッチ有効位置検出部１３は、ユーザによりタッチパネル１５がタッチされた場合に、有効となるタッチ位置（タッチ有効位置）を検出する。この場合、タッチ有効位置検出部１３は、タッチパネル１５における持ち手側の端縁部の最上位置である基準位置４（座標（０，０））からの距離が最も短い、タッチ有効領域２２でのタッチ位置をタッチ有効位置とする。例えば、図２の（ｆ）に示すように、タッチ有効領域２２において、持ち手が左手２である場合のユーザによるタッチ位置として、タッチ位置２３ａ〜２３ｃが存在する場合に、タッチ有効位置検出部１３は、タッチパネル１５の基準位置４からの距離が最も短いタッチ位置２３ａをタッチ有効位置とする。
【００２５】
したがって、タッチ有効位置検出部１３は、図２の（ｇ）に示すように、複数のタッチ位置２４ａ〜２４ｄが存在する場合に、タッチ有効領域２２に存在するタッチ位置２４ａ〜２４ｃのうち、図２の（ｈ）に示すように、基準位置４から最も近いタッチ位置２４ａをタッチ有効位置として検出する。なお、タッチ位置２４ｄは、基準位置４から最も近いタッチ位置２４ｄ（持ち手である左手２の親指によるタッチ位置）であるものの、タッチ無効化領域２１に存在している。タッチ位置２３ａは、右手３の人差し指による操作位置、タッチ位置２３ｂ〜２３ｃは、右手３の人差し指以外の指による接触位置である。
【００２６】
上記の構成において、タッチパネル１５に対して１点のタッチ操作が行われた場合の携帯端末装置１の動作を図３のフローチャートに基づいて説明する。
【００２７】
制御部１１は、側面センサ１６にて検出された、携帯端末装置１の左右の側面の接触個所２５により、携帯端末装置１の持ち手が左手か右手かを判定する（Ｓ１１）。
【００２８】
Ｓ１１での判定の結果、持ち手が右手であれば（Ｓ１２）、無効化領域設定部１４は、タッチパネル１５の右端（携帯端末装置１の右側の側面に沿った右端の所定幅の領域）にタッチ無効化領域２１を設定する（Ｓ１３）。一方、Ｓ１１での判定の結果、持ち手が左手であれば（Ｓ１４）、無効化領域設定部１４は、タッチパネル１５の左端（携帯端末装置１の左側の側面に沿った左端の所定幅の領域）にタッチ無効化領域２１を設定する（Ｓ１５）。また、Ｓ１１での判定において、持ち手を判定できなければ、無効化領域設定部１４はタッチ無効化領域２１を設定しない（Ｓ１６）。
【００２９】
なお、持ち手を判定できない場合は、例えば指が側面センサ１６に触れないような状態にて、ユーザが携帯端末装置１を両手持ちして操作している場合、あるいは携帯端末装置１を例えば机上においてユーザが携帯端末装置１を操作している場合である。なお、ユーザが携帯端末装置１を両手持ちしている状態は、さらに、携帯端末装置１が通常備えている加速度センサ（図示せず）の検出結果を加味して判定することができる。
【００３０】
次に、タッチ有効位置検出部１３は、タッチパネル１５に対するユーザのタッチ位置を検出し（Ｓ１７）、タッチ無効化領域２１にタッチ位置があるかどうかを判定する（Ｓ１８）。Ｓ１８での判定結果がＮＯであればＳ２０に進む。一方、Ｓ１８での判定結果がＹＥＳであれば、タッチ有効位置検出部１３は、タッチ無効化領域２１内のタッチ位置を無効にして（Ｓ１９）、Ｓ２０に進む。
【００３１】
次に、タッチ有効位置検出部１３は、タッチ有効領域２２にタッチ位置があるかどうかを判定し（Ｓ２０）、Ｓ２０での判定結果がＮＯであればＳ１７に戻る。一方、Ｓ２０での判定結果がＹＥＳであれば、タッチ有効位置検出部１３は、さらに、タッチ有効領域２２に複数のタッチ位置があるかどうかを判定する（Ｓ２１）。
【００３２】
Ｓ２１での判定の結果、タッチ有効領域２２に一つのタッチ位置のみがある場合には、タッチ有効位置検出部１３は、そのタッチ位置をタッチ有効位置とする（Ｓ２２）。その後、制御部１１は、タッチ有効位置としたタッチ位置に応じた処理を行う（Ｓ２８）。
【００３３】
一方、Ｓ２１での判定の結果、タッチ有効領域２２に複数のタッチ位置があり、携帯端末装置１の持ち手が右手（Ｓ１１での判定結果）であれば（Ｓ２３）、タッチ有効位置検出部１３は、右上の基準位置４から最も近い（最も距離が短い）タッチ位置をタッチ有効位置とする（Ｓ２４）。その後、Ｓ２８の処理に進む。
【００３４】
また、Ｓ２１での判定の結果、タッチ有効領域２２に複数のタッチ位置があり、携帯端末装置１の持ち手が左手（Ｓ１１での判定結果）であれば（Ｓ２５）、タッチ有効位置検出部１３は、左上の基準位置４から最も近い（最も距離が短い）タッチ位置をタッチ有効位置とする（Ｓ２６）。その後、Ｓ２８の処理に進む。
【００３５】
また、Ｓ２１での判定の結果、タッチ有効領域２２に複数のタッチ位置があり、携帯端末装置１の持ち手を判定できなければ（Ｓ１１での判定結果）、タッチ有効位置検出部１３は、タッチ有効領域２２のタッチ位置を全てタッチ有効位置とする（Ｓ２７）。その後、Ｓ２８の処理に進む。
【００３６】
上記のように、携帯端末装置１は、携帯端末装置１の両方の側面に設けられた側面センサ１６により、携帯端末装置１に対するユーザの持ち手（指等）の接触個所２５を検出し、ユーザによる携帯端末装置１の持ち手（片手持ちおよび両手持ちを含む）を判定している。これにより、携帯端末装置１に対するユーザの持ち手を正確に求めることができる。
【００３７】
さらに、片手持ちの場合には、ユーザの持ち手に基づいてタッチ無効化領域２１および基準位置４を設定してタッチ有効位置（有効なタッチ操作）を決定する一方、両手持ちの場合には、タッチ無効化領域２１および基準位置４を設定せず、全てのタッチ位置をタッチ有効位置（有効なタッチ操作）としている。これにより、タッチパネルに対するユーザの入力操作を正確に検出することができる。
【００３８】
〔実施の形態２〕
本発明の他の実施の形態を図面に基づいて以下に説明する。
携帯端末装置１のタッチパネル１５に対してのユーザによるタッチ操作は、１点のタッチ操作に限定されない。例えば、ピンチインおよびピンチアウトなど、アプリケーションソフトウエアにより、２点のタッチ操作に対して、特別な処理が割り当てられている場合がある。そこで、本実施の形態では、携帯端末装置１が、タッチパネル１５に対して行われる、ピンチインおよびピンチアウトの操作を処理する場合について説明する。
【００３９】
携帯端末装置１のタッチパネル１５に対するピンチアウトの操作は、タッチパネル１５上での図４および図５に示す、持ち手とは反対の手の例えば人差し指と親指との指の動きによって行われる。この場合の指の動きは、タッチ有効位置検出部１３によって検出される。制御部１１は、タッチ有効位置検出部１３にて検出される指の動き、すなわちタッチパネル１５に対するユーザのタッチパネル操作から、ピンチアウト操作が行われたことを判定し、例えば表示部１２の表示画像の拡大など、ピンチアウト操作に応じた所定の制御動作を行う。
【００４０】
例えば、図４に示すように、携帯端末装置１の持ち手が左手の場合、無効化領域設定部１４は、前述のように、タッチパネル１５の左端に無効化領域２１を設定する。
【００４１】
タッチ有効位置検出部１３は、タッチパネル１５のタッチ有効領域２２において複数のタッチ位置３１ａ１，３１ｂ１，３１ｃを検出すると、例えば持ち手が左手の場合、ピンチアウト（ピンチイン）の操作を検出するために、最も左上の（基準位置４に最も近い）タッチ位置３１ａ１と、２番目に左上の（基準位置４に２番目に近い）タッチ位置３１ｂ１とに注目する。なお、タッチ位置３１ｃ，３１ｄはユーザの意図しないものである。
【００４２】
ここで、ピンチアウトの操作では、図５に示すように、最も左上のタッチ位置および２番目に左上のタッチ位置が、当初のタッチ位置３１ａ１，３１ｂ１→途中のタッチ位置３１ａ２，３１ｂ２→最終のタッチ位置３１ａ３，３１ｂ３と変化する。
【００４３】
そこで、タッチ有効位置検出部１３は、基準位置４に２番目に近いタッチ位置の当初のタッチ位置３１ｂ１からの移動を検出した場合に、例えば途中のタッチ位置３１ａ２，３１ｂ２間の距離（タッチ位置の中心間の距離）が当初のタッチ位置３１ａ１，３１ｂ１間の距離（タッチ位置の中心間の距離）に対して一定値（例えば２０）以上変化したかどうかを判定する。この判定の結果、上記両タッチ位置間の距離が一定値以上変化していれば、タッチ有効位置検出部１３は、最も左上のタッチ位置(第１のタッチ位置)３１ａ１〜３１ａ３に加えて、２番目に左上のタッチ位置(第２のタッチ位置)３１ｂ１〜３１ｂ３も有効なタッチ位置と見なす。そこで、制御部１１は、タッチ有効位置検出部１３の検出結果から、ピンチアウトの操作が行われたと判定し、携帯端末装置１においてピンチアウトの操作に応じた処理を行う。
【００４４】
なお、例えばタッチ位置３１ａ１，３１ｂ１間の距離は、タッチ位置３１ａ１の中心座標を（１００，６００）、タッチ位置３１ｂ１の中心座標を（１５０，７００）とした場合、下記の計算式によって求めることができる。
【００４５】
【数１】
2015156154.tif 000003
【００４６】
上記のピンチアウトの操作についての処理は、タッチ位置がタッチ位置３１ａ３，３１ｂ３から、タッチ位置３１ａ２，３１ｂ２を経てタッチ位置３１ａ１，３１ｂに変化するピンチインの操作に対しても同様に適用可能である。
【００４７】
上記の構成において、タッチパネル１５に対してピンチアウトの操作が行われた場合の携帯端末装置１の動作を図６のフローチャートに基づいて説明する。
【００４８】
図６のＳ１１〜Ｓ２３、Ｓ２５、Ｓ２７の処理は、図３のＳ１１〜Ｓ２３、Ｓ２５、Ｓ２７の処理と同一である。したがって、ここでは図６のＳ１１〜Ｓ２１の処理についての説明を省略する。
【００４９】
図６において、Ｓ２１での判定の結果、タッチ有効領域２２に一つのタッチ位置のみがある場合には、タッチ有効位置検出部１３は、そのタッチ位置をタッチ有効位置とする（Ｓ２２）。その後、制御部１１は、タッチ有効位置としたタッチ位置（タッチ操作）に応じた処理を行う（Ｓ４８）。
【００５０】
一方、Ｓ２１での判定の結果、タッチ有効領域２２に複数のタッチ位置があり、携帯端末装置１の持ち手が右手（Ｓ１１での判定結果）であれば（Ｓ２３）、タッチ有効位置検出部１３は、タッチパネル１５の基準位置４を右上（右上の最上位置）とし（Ｓ２４）、Ｓ４３の処理に進む。Ｓ４３において、タッチ有効位置検出部１３は、基準位置から最も近いタッチ位置を有効とする。
【００５１】
また、Ｓ２１での判定の結果、タッチ有効領域２２に複数のタッチ位置があり、携帯端末装置１の持ち手が左手（Ｓ１１での判定結果）であれば（Ｓ２５）、タッチ有効位置検出部１３は、タッチパネル１５の基準位置４を左上（左上の最上位置）とし（Ｓ４２）、Ｓ４３の処理に進む。
【００５２】
また、Ｓ２１での判定の結果、タッチ有効領域２２に複数のタッチ位置があり、携帯端末装置１の持ち手を判定できなければ（Ｓ１１での判定結果）、タッチ有効位置検出部１３は、タッチ有効領域２２のタッチ位置を全てタッチ有効位置とする（Ｓ２７）。その後、Ｓ４８の処理に進む。
【００５３】
次に、タッチ有効位置検出部１３は、基準位置から２番目に近いタッチ位置が移動したかどうかを判定する（Ｓ４４）。Ｓ４４での判定結果がＮＯであれば、Ｓ４７の処理に進む。一方、Ｓ４４での判定結果がＹＥＳであれば、さらに、基準位置から最も近いタッチ位置と基準位置から２番目に近いタッチ位置との距離が一定値以上変化したかどうかを判定する（Ｓ４５）。
【００５４】
次に、Ｓ４５での判定結果がＮＯであれば、Ｓ４７の処理に進む。一方、Ｓ４５での判定結果がＹＥＳであれば、基準位置から最も近いタッチ位置と基準位置から２番目に近いタッチ位置とを有効とし（Ｓ４６）、制御部１１は、両タッチ位置の移動（両タッチ操作）に応じた処理を行う（Ｓ４８）。
【００５５】
また、Ｓ４７では、タッチ有効位置検出部１３は、基準位置４から最も近いタッチ位置のみをタッチ有効位置とし、Ｓ４８の処理に進む。
【００５６】
上記のように、本実施の形態の携帯端末装置１では、携帯端末装置１に対するユーザの持ち手を正確に判定可能であり、タッチパネルに対する１点のタッチ操作に加えて、ピンチアウトおよびピンチインの入力操作についても正確に検出することができる。
【００５７】
〔実施の形態３〕
本発明のさらに他の実施の形態を図面に基づいて以下に説明する。
本実施の形態の携帯端末装置４１は、前記の無効化領域設定部１４に代えて無効化領域設定部５１を備えている（図１参照）。
【００５８】
無効化領域設定部５１は、図７に示すように、携帯端末装置４１の持ち手が左手２か右手３かに関わらず、側面センサ１６によって検出される、携帯端末装置４１の側面に対するユーザの指等の接触領域２６の範囲に応じた面積のタッチ無効化領域２１を設定する。なお、接触領域２６は、接触個所２５が複数個所である場合、それら接触個所２５を含む領域である。
【００５９】
また、無効化領域設定部５１にて設定されるタッチ無効化領域２１は、タッチ有効位置検出部１３にて設定されるタッチ無効化領域２１と同様、携帯端末装置１の側面に沿ってタッチパネル１５の端部に設定されるものの、側面センサ１６によって検出されるユーザの接触個所の範囲に応じた面積にて、接触領域２６の周りに設定されていればよい。また、このようなタッチ無効化領域２１は、図１に示した携帯端末装置１のタッチ無効化領域２１としても適用可能である。
【００６０】
上記の構成において、本実施の形態の携帯端末装置４１の動作について以下に説明する。図８に示すように、携帯端末装置４１の持ち手が左手である場合、無効化領域設定部１４は、タッチパネル１５の左端の領域に、携帯端末装置４１の左側面に対する例えば左手の親指およびその付け根の接触領域２６に応じたタッチ無効化領域２１を設定する。同様に、無効化領域設定部１４は、タッチパネル１５の右端の領域に、携帯端末装置４１の右側面に対する例えば左手の人差し指、中指および薬指の接触領域２６に応じたタッチ無効化領域２１を設定する。
【００６１】
なお、無効化領域設定部１４は、携帯端末装置４１の左側面のみに指等が接触している場合、タッチパネル１５の左端の領域のみに無効化領域２１を設定し、携帯端末装置４１の右側面のみに指等が接触している場合、タッチパネル１５の右端の領域のみにタッチ無効化領域２１を設定し、携帯端末装置４１の左右の側面に指等が接触していない場合、タッチ無効化領域２１を設定しない。
【００６２】
図８の例において、タッチパネル１５のタッチ有効領域２２には、タッチ位置６１ａ〜６１ｃが存在し、タッチ無効化領域２１には、タッチ位置６１ｃ〜６１ｄが存在する（図８の左側の図）。タッチ位置６１ａは右手３の人差し指、６１ｂ〜６１ｃは右手３の人差し指以外の指、タッチ位置６１ｄは左手の親指、タッチ位置６１ｅは左手の人差し指、タッチ位置６１ｄは左手の中指によるものである。
【００６３】
タッチ有効位置検出部１３は、タッチパネル１５に対して１点のタッチ操作が行われた場合、タッチ有効位置からタッチ無効化領域２１のタッチ位置６１ｃ〜６１ｄを除き（図８の中央の図）、タッチパネル１５の左上（左上の最上位置）を基準位置４として、基準位置４に最も近いタッチ位置６１ａをタッチ有効位置とする。なお、ピンチインおよびピンチアウトの操作についても、タッチ有効領域２２に対するタッチ操作に基づき、前述のようにして、これら操作の有無を判定することができる。
【００６４】
次に、タッチパネル１５に対して１点のタッチ操作が行われた場合の携帯端末装置４１の動作を図９のフローチャートにより説明する。
【００６５】
制御部１１は、側面センサ１６にて検出された、携帯端末装置１の左右の側面の接触個所２５により、携帯端末装置１の持ち手が左手か右手かを判定する（Ｓ６１）。
【００６６】
無効化領域設定部５１は、側面センサ１６によって検出される、携帯端末装置４１の側面に対するユーザの指等の接触領域２６に応じた面積のタッチ無効化領域２１を設定する（Ｓ６２）。その後、Ｓ１７以下の処理を行う。なお、Ｓ１７以下の処理は、図３のＳ１７以下の処理と同じであるので、説明を省略する。
【００６７】
次に、タッチパネル１５に対してピンチインおよびピンチアウトのタッチ操作が行われた場合の携帯端末装置４１の動作を図１０のフローチャートにより説明する。
【００６８】
制御部１１は、側面センサ１６にて検出された、携帯端末装置１の左右の側面の接触個所２５により、携帯端末装置１の持ち手が左手か右手かを判定する（Ｓ６１）。
【００６９】
無効化領域設定部５１は、側面センサ１６によって検出される、携帯端末装置４１の側面に対するユーザの指等の接触領域２６に応じた面積のタッチ無効化領域２１を設定する（Ｓ６２）。その後、Ｓ１７以下の処理を行う。なお、Ｓ１７以下の処理は、図６のＳ１７以下の処理と同じであるので、説明を省略する。
【００７０】
上記のように、本実施の形態の携帯端末装置４１では、携帯端末装置４１に対するユーザの持ち手を正確に判定可能であり、持ち手の状態に応じてタッチパネル１５にタッチ無効化領域２１を適切に設定することができる。これにより、タッチパネル１５に対する１点のタッチ操作、並びにピンチアウトおよびピンチインの入力操作を正確に検出することができる。
【００７１】
〔ソフトウェアによる実現例〕
携帯端末装置１，４１の制御ブロック（特にタッチ有効位置検出部１３および無効化領域設定部１４，５１）は、集積回路（ＩＣチップ）等に形成された論理回路（ハードウェア）によって実現してもよいし、ＣＰＵ（Central Processing Unit）を用いてソフトウェアによって実現してもよい。
【００７２】
後者の場合、携帯端末装置１，４１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７３】
〔まとめ〕
本発明の態様１の入力装置は、携帯端末装置の表示装置に設けられたタッチパネル１５と、前記携帯端末装置の左右の側面に設けられ、ユーザによる接触個所を検出する側面センサ１６と、前記側面センサ１６の検出結果に基づいて、前記携帯端末装置１，４１を保持するユーザの持ち手を判定する判定手段（制御部１１）と、前記携帯端末装置１，４１の前記接触個所が検出された前記側面に沿った前記タッチパネル１５の端部に、ユーザのタッチを無効とするタッチ無効化領域２１を設定し、前記タッチ無効化領域２１以外の領域をタッチ有効領域２２とする無効化領域設定手段（無効化領域設定部１４，５１）と、左側または右側のうち、前記持ち手の側の前記タッチパネル１５の最上位置を基準位置４とし、ユーザによる前記タッチ有効領域２２の前記基準位置４から最も近いタッチ位置をタッチ有効位置として検出するタッチ有効位置検出手段（タッチ有効位置検出部１３）とを備えている。
【００７４】
上記の構成によれば、ユーザが携帯端末装置１，４１を片手持ちする場合、持ち手が左手の場合と右手の場合とで、携帯端末装置１，４１の左右の側面に対するユーザの指による接触個所が異なる。そこで、判定手段は、側面センサ１６の検出結果に基づいて、ユーザの持ち手を判定する。無効化領域設定手段は、前記携帯端末装置１，４１の前記接触個所が検出された側面に沿った前記タッチパネル１５の端部に、ユーザのタッチを無効とするタッチ無効化領域２１を設定する。タッチ有効位置検出手段は、判定された持ち手の側のタッチパネル１５の最上位置を基準位置とし、タッチ有効領域２２の基準位置４から最も近いタッチ位置をタッチ有効位置として検出する。
【００７５】
これにより、持ち手の指等によるタッチを検出しないタッチパネル無効化領域２１をタッチパネル１５に適切に設定でき、タッチパネル１５に対するユーザの入力操作を正確に検出することができる。
【００７６】
本発明の態様２の入力装置は、上記態様１において、前記無効化領域設定手段（無効化領域設定部１４）は、前記携帯端末装置の前記接触個所が検出された側面のうち、前記持ち手の側の前記携帯端末装置１の前記側面に沿った前記タッチパネル１５の端部に、前記タッチ無効化領域２１を設定する。
【００７７】
上記の構成によれば、タッチパネル１５に対してユーザの意図しないタッチが最も生じ易い領域である、持ち手の親指がタッチし易い領域をタッチ無効化領域２１として設定することができる。これにより、最低限必要なタッチ無効化領域２１を適切に設定でき、タッチパネル１５に対するユーザの入力操作を正確に検出することができる。
【００７８】
本発明の態様３の入力装置は、上記態様１または２において、前記無効化領域設定手段（無効化領域設定部１４）は、前記側面センサ１６によって検出される前記接触個所の範囲に応じた面積の前記タッチ無効化領域２１を設定する。
【００７９】
上記の構成によれば、タッチ無効化領域２１は、側面センサ１６によって検出される接触個所の範囲に応じた適切な面積に形成されるので、タッチ有効領域２２の面積が不要に制限される事態を防止することができる。
【００８０】
本発明の態様４に係る入力装置は、上記態様１から３のいずれかにおいて、前記タッチ有効位置検出手段（タッチ有効位置検出部１３）は、前記タッチ有効領域２２における、前記基準位置４から最も近い第１のタッチ位置と、前記基準位置４から２番に近い第２のタッチ位置とを検出するとともに、前記第２のタッチ位置が移動し、かつ前記第１のタッチ位置と前記第２のタッチ位置との距離が一定値以上変化した場合に、前記第１のタッチ位置についてのタッチ操作に加えて、前記第２のタッチ位置についてのタッチ操作を有効なタッチ操作とする。
【００８１】
上記の構成によれば、タッチパネル１５上において、第１のタッチ位置と第２のタッチ位置との距離を変化させるピンチアウトやピンチインの操作についても正確に検出することができる。
【００８２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８３】
１    携帯端末装置
１１    制御部（判定手段）
１２    表示部（表示装置）
１３    タッチ有効位置検出部（タッチ有効位置検出手段）
１４    無効化領域設定部（無効化領域設定手段）
１５    タッチパネル
１６    側面センサ
２１    タッチ無効化領域
２２    タッチ有効領域
２５    接触個所
２６    接触領域
３１ａ１〜３１ａ３  最も左上のタッチ位置(第１のタッチ位置)
３１ｂ１〜３１ｂ３  ２番目に左上のタッチ位置(第２のタッチ位置)
４１    携帯端末装置
５１    無効化領域設定部
【図１】
2015156154.tif 000004
【図２】
2015156154.tif 000005
【図３】
2015156154.tif 000006
【図４】
2015156154.tif 000007
【図５】
2015156154.tif 000008
【図６】
2015156154.tif 000009
【図７】
2015156154.tif 000010
【図８】
2015156154.tif 000011
【図９】
2015156154.tif 000012
【図１０】
2015156154.tif 000013